(57)【要約】【課題】球面対偶をなす２つの管部又は２つの管の口径の大小に拘わらず、これらの両管部又は両管を一時的に真直ぐに維持することができる手段を提供し、また、該手段が適用された管を提供すること。【解決手段】カラー（１５）は、両管部（１２，１４）又は両管の少なくとも一部の周囲に配置されかつ両管部又は両管に液密的に取り付けられる弾性を有する不透水性の第１の筒体（１６）と、第１の筒体の周囲にこれを覆うように配置されかつ両管部に固定される繊維強化プラスチックからなる第２の筒体（１８）とを備える。【選択図】　図１
2004132509.tif 000002
【特許請求の範囲】
【請求項１】
球面の一部からなる凹状の突き合わせ面及び球面の一部からなる凸状の突き合わせ面をそれぞれ有する２つの管部のためのカラーであって、両管部の少なくとも一部の周囲に配置されかつ両管部に液密的に取り付けられる弾性を有する不透水性の第１の筒体と、該第１の筒体の周囲にこれを覆うように配置されかつ両管部に固定される繊維強化プラスチックからなる第２の筒体とを含む、カラー。
【請求項２】
前記カラーは、両管に設けられ互いに協同して規定する周溝内に配置されている、請求項１に記載のカラー。
【請求項３】
請求項１又は２に記載のカラーと、該カラーを介して互いに接続された一対の管部とを含む、管。
【請求項４】
球面の一部からなる凹状の突き合わせ面及び球面の一部からなる凸状の突き合わせ面をそれぞれ有する２つの管のためのカラーであって、両管の少なくとも一部の周囲に配置されかつ両管に液密的に取り付けられる弾性を有する不透水性の第１の筒体と、該第１の筒体の周囲にこれを覆うように配置されかつ両管に固定される繊維強化プラスチックからなる第２の筒体とを含む、カラー。
【請求項５】
前記カラーは、両管に設けられ互いに協同して規定する周溝内に配置されている、請求項４に記載の管用カラー。
【発明の詳細な説明】
【０００１】
【発明の属する技術分野】
本発明は、上下水道、電力線や通信回線、都市ガス等を通すために地下に設けられる管路を形成するために用いられる管及び管用カラーに関する。
【０００２】
【従来の技術】
従来、地中に埋設された管路の地震時における破壊又は破損を防止するため、前記管路を構成する管又は２つの管相互の接続構造として、前記管を構成する２つの管部の突き合わせ面、又は両管の突き合わせ面をそれぞれ凹状の球面の一部及び凸状の球面の一部とすることが提案されている（例えば、特許文献１参照）。
【０００３】
【特許文献１】
特開２００１−１９３８６６号公報（第３頁、図１）
【０００４】
これによれば、球面対偶をなす両管部又は両管が互いにこれらの突き合わせ面に沿って滑動可能であり、このため、管路は、地震力を受けたとき、前記管の滑動により折れ曲がり、その破壊又は破損を免れる。
【０００５】
ところで、管路の形成のため、地中に管を推進する場合がある。この場合には、推進中における管自体又は管相互が折れ曲がらないようにこれを真直ぐに維持されなければならない。一方、埋設後には折れ曲がり可能でなければならない。前記従来の管にあっては、これらの要請に応えるため、管の内周面に軸線方向へ伸びる複数の板部材を解除可能に固定することとしている。
【０００６】
しかし、前記従来の管にあっては、前記板部材の取り付け作業が可能である比較的大きい口径を有するものに限られ、小口径の管には前記板部材を配置することができないという難点がある。
【０００７】
【発明が解決しようとする課題】
本発明の目的は、球面対偶をなす２つの管部又は２つの管の口径の大小に拘わらず、これらの両管部又は両管を一時的に真直ぐに維持することができる手段を提供し、また、該手段が適用された管を提供することにある。
【０００８】
【課題を解決するための手段】
本発明は、球面の一部からなる凹状の突き合わせ面及び球面の一部からなる凸状の突き合わせ面をそれぞれ有する２つの管部又は２つの管のためのカラーに係り、該カラーは、両管部又は両管の少なくとも一部の周囲に配置されかつ両管部又は両管に液密的に取り付けられる弾性を有する不透水性の第１の筒体と、該第１の筒体の周囲にこれを覆うように配置されかつ両管部に固定される繊維強化プラスチックからなる第２の筒体とを含む。
【０００９】
好ましくは、前記カラーは、両管に設けられ互いに協同して規定する周溝内に配置されている。
【００１０】
また、本発明は、管に係り、該管は、前記カラーと、該カラーを介して互いに接続された一対の管部とを含む。
【００１１】
【発明の作用および効果】
本発明によれば、カラーを介して、２つの管部又は２つの管を、球面の一部からなるこれらの凹状及び凸状の突き合わせ面が互いに接するように、互いに接続することができる。前記カラーにより接続された両管部からなる単一の管又は２つの管は、地中において、前記カラーを構成する前記弾性を有する不透水性の第１の筒体により、水や土砂の侵入を阻止される。また、前記繊維強化プラスチック製の前記第２の筒体により、その剛性をもって、真直ぐに伸びるように拘束され、前記第１の筒体が保護される。
【００１２】
前記第２の筒体の拘束による前記管又は前記両管の真直ぐな状態は、地中への管路の形成のためにこれらに推進力を及ぼす間においても維持することができる。また、地中に設置された後の前記管または両管は、これに作用する地震力による前記第２の筒体の破壊によりその拘束が解かれ、両管部又は両管は、弾性を有する前記第１の筒体により接続された状態下で、これらの突き合わせ面で滑動し、互いに折れ曲がり状態となることができる。前記第２の筒体は、例えば比較的規模の大きい地震があったときに破壊するようにその強度を設定することができる。
【００１３】
本発明にあっては、両管部又は両管を真直ぐに維持する前記第２の筒体がカラーの一部としてこれらの外部におかれるものであることから、その設置のための作業を両管部又は両管の内部で行う必要がない。このため、前記第２の筒体を含む本発明のカラーは、口径の大小に拘わらず全ての管について適用することができる。
【００１４】
前記カラーが、両管部又は両管に設けられた周溝内に配置されたものとするときは、前記カラー管の周囲に突出しないようにすることができ、これにより、推進時における前記管の抵抗を低減することができる。
【００１５】
【発明の実施の形態】
図１及び図２を参照すると、上下水道、電力線や通信回線、都市ガス等を通すために地中に設置される管路を構成する単一の管の一部が全体に符号１０で示されている。横構造物である前記管路は、集排水升、マンホール、換気塔のような縦構造物（図示せず）に接続される。
【００１６】
円形の横断面形状を有する管１０は、互いに突き合わされたコンクリート製、陶製等の２つの管部１２，１４と、両管部１２，１４を相互に接続するカラー１５とを含み、カラー１５は、両管部１２，１４の少なくとも一部の周囲に配置され両管部１２，１４に液密的に取り付けられた弾性を有する不透水性の第１の筒体１６と、該第１の筒体の周囲に配置されかつ第１の筒体１６に接着された繊維強化プラスチックからなる第２の筒体１８とを備える。
【００１７】
管１０は、前記円形のほか、矩形、楕円等の横断面形状を有するものであってもよい。両管部１２，１４は、それぞれ、球面の一部からなる凹状の突き合わせ面２０及び球面の一部からなる凸状の突き合わせ面２２を有する。両突き合わせ面２０，２２の前記球面は、同一又はほぼ同一の曲率半径を有する。
【００１８】
両管部１２，１４は、後述するように、カラーの第２の筒体１８が破壊するとき、弾性を有する第１の筒体１６による接続の下、突き合わせ面２０，２２に沿って相互に滑動することができ、その結果、両管部１２，１４は折れ曲がり状態となる。
【００１９】
両突き合わせ面２０，２２の曲率は任意に定めることができる。例えば、図１に示す例では比較的小さい曲率からなり、反対に図２に示す例では比較的大きい曲率からなる。
【００２０】
図１に示す例では、各管部１２，１４の一方の端面の全部を突き合わせ面２０，２２とされているが、これに代えて、図２に示すように、前記端面の一部を突き合わせ面２０，２２とし、かつ残りの一部を管１０の軸線に直交する平坦面２４，２６とすることができる。両平坦面２４，２６は管１０の軸線方向へ互いに間隔をおいて相対しており、突き合わされていない。各平坦面２４，２６は各管部の外周面の側に設けられているが、これに代えて、内周面の側に設けることも可能である。
【００２１】
これによれば、両突き合わせ面２０，２２が相互に滑動するとき、両平坦面２４，２６の一部が互いに近づいて突き当たるため、両突き合わせ面２０，２２の滑動範囲又は両管部の折れ曲がりの度合いを制限する作用をなす。
【００２２】
第１の筒体１６は、例えば軟質のプラスチック板やゴム板からなり、両管部１２，１４を接続し、両管部相互間からの水や土砂の侵入を阻止する。また、第１の筒体１６は、両管部１２，１４がこれらの突き合わせ面で滑動するとき、弾性変形し、両管部の接続状態を維持する。
【００２３】
第１の筒体１６は、適当な接着剤を用いて、少なくともその両端部を両管部１２，１４の外周面に接着することにより、取り付けることができる。前記接着剤に代えて、たが（図示せず）を用いて、第１の筒体１６の両端部を両管部１２，１４の周囲に締め付けることにより取り付けてもよい。あるいは、第１の筒体の各端部にその内方へ張り出すフランジ状のリップ（図示せず）を設けておき、他方、各管部１２，１４にその外周面に開放する周溝（図示せず）を設けておき、前記リップを前記周溝に嵌め込むことによっても、第１の筒体１６を両管部に取り付けることができる。また、第１の筒体１６は、好ましくは両管部１２，１４の端部分の周囲のみを覆う長さ寸法を有するものとするが、必要に応じて、これよりも長いもの又は短いものとすることは任意である。
【００２４】
第２の筒体１８は、図示の例では、第１の筒体１６の周囲に巻き重ねられた炭素繊維製の織物と、重ね合わされた前記織物間及び該織物の最外周面に塗布された合成樹脂とからなる、全体に硬化した物質からなる。第２の筒体１８は、その軸線方向にする両端部において、それぞれ、両管部１２，１４に接着され、これにより、両管部１２，１４に固定されている。
【００２５】
前記織物に代えて、例えば軸線方向に伸びる繊維からなるものとすることができる。また、前記炭素繊維に代えて、ガラス繊維、ケブラー（商標）等の他の補強繊維を用いることができる。前記炭素繊維製の織物を用いるときは、非常に高い引張強度を有するため、第２の筒体１８、ひいてはカラー１５の厚さ寸法をより小さいものとすることができる。
【００２６】
第２の筒体１８の形成に用いられる前記合成樹脂については、例えば、エポキシ樹脂、尿素樹脂、フェノール樹脂、ホルムアルデヒド樹脂、不飽和ポリエステル樹脂のような熱硬化性樹脂、又はポリウレタン樹脂、ポリエチレン樹脂、ポリプロピレン樹脂、ポリアミド樹脂、ビニル樹脂のような熱可塑性樹脂を用いることができる。これらの繊維及び樹脂は、第２の筒体１８に付与すべき剪断強度、曲げ強度、引張強度等、管１０が埋設される土中の雰囲気等に応じて、適宜選択される。
【００２７】
なお、第２の筒体１８は、前記繊維強化プラスチックに代えて、エンジニアリングプラスチックを用いて形成することもできる。
【００２８】
両管部１２，１４に固定された第２の筒体１８は、その剛性により、両管部１２，１４を真直ぐな状態に拘束し、これを保持する作用をなす。
【００２９】
したがって、管路を形成するために管１０を立て坑（図示せず）から地中へ横方向に推進するとき、管１０を推進に支障のない真直ぐな状態に維持することができる。なお、第２の筒体１８は、また、第１の筒体１６を保護する作用をなす。
【００３０】
また、第２の筒体１８は、地中において、直列に連なる複数の管１０からなる前記管路が真直ぐな状態に維持される。
【００３１】
第２の筒体１８は、両管部１２，１４の強度より低い範囲において、これが破壊又は破断に至る強度を任意に設定することができる。したがって、設定強度以上の地震力を受けた場合にのみ、第２の筒体１８が破壊され、管１０の両管部１２，１４に曲がりが生じるようにすることができ、これにより、前記設定強度より小さい地震力のもとでは第２の筒体１８が破壊されず、管１０の真直ぐ状態が維持されるようにすることができる。
【００３２】
カラー１５は、両管部１２，１４の周面に形成され互いに協同して規定する周溝２８内に配置することが望ましい。これによれば、カラー１５が管１０の外周面からその半径方向外方へ突出しないため、地中への管１０の推進時における周囲地盤に対する抵抗を低減することができる。ただし、溝２８を設けることなく、カラー１５を両管部１２，１４の外周面上に配置することを除外するするものではない。
【００３３】
前記したところでは、単一の管１０を構成する管部が２つの例について説明したが、３以上の管部相互についても、同様にカラー１５を適用し、互いに接続することができる。
【００３４】
また、カラー１５は、相互に接続される２つの管（図示せず）についても、これらを相互に接続するために同様にして用いることができる。カラー１５が適用される前記２つの管は、これらの互いに相対する両管端に、前記両管部における両突き合わせ面２０，２２と同様の突き合わせ面を有する。
【００３５】
なお、本発明に係るカラーは、推進により地中に設置される管以外の管、例えば開削された地盤中に設置される管についても適用することができる。
【図面の簡単な説明】
【図１】２つの管部の一部及びこれらの管部を接続するカラーの断面図である。
【図２】他の例の２つの管部及びカラーの断面図である。
【符号の説明】
１０　管
１２，１４　管部
１５　カラー
２０，２２　突き合わせ面
２８　周溝
【図１】
2004132509.tif 000003
【図２】
2004132509.tif 000004